(57)【要約】      （修正有）【課題】本発明は、プラズマディスプレイパネルにおいて、維持電極間の放電を均一にすることを目的とする。本発明は、特に、維持電極間の放電を均一にすることが可能な電極構造を提供することを目的とする。【解決手段】 本発明によるプラズマディスプレイパネルは、スキャン電極３０及びサステイン電極４０を含む上部基板と、放電セルを形成するための隔壁を含む下部基板を含み、前記スキャン電極３０及び前記サステイン電極４０は放電セル内で複数個の突出電極部３００、３０２を備えることを特徴とし、 放電領域を広げることで発光効率を増加し輝度を向上させることができる。また、放電が安定的で均一に発生されることでホワイトバランスをより效率的に具現することができる。また、高価なＩＴＯ面積を低減して、プラズマディスプレイパネルの製造単価を低減させることができる。【選択図】図５
2006318897.tif 000002
【特許請求の範囲】
【請求項１】
スキャン電極及びサステイン電極を含む上部基板と、
放電セルを形成するための隔壁を含む下部基板を含み、
前記スキャン電極及び前記サステイン電極は前記放電セル内で複数個の突出電極部を備えることを特徴とするプラズマディスプレイパネル。
【請求項２】
前記突出電極部は、第１突出電極部と、第２突出電極部とを含むことを特徴とする、請求項１記載のプラズマディスプレイパネル。
【請求項３】
前記第１突出電極部は、前記第２突出電極部間に配置されることを特徴とする、請求項２記載のプラズマディスプレイパネル。
【請求項４】
前記第１突出電極部は、少なくとも１個以上の突出電極部を備えることを特徴とする、請求項２記載のプラズマディスプレイパネル。
【請求項５】
前記第２突出電極部は少なくとも２個以上の突出電極部を備えることを特徴とする、請求項２記載のプラズマディスプレイパネル。
【請求項６】
前記スキャン電極の第１突出電極部と前記サステイン電極の第１突出電極部との間の第１ギャップは、前記スキャン電極の第２突出電極部と前記サステイン電極の第２突出電極部との間の第２ギャップより大きいことを特徴とする、請求項２記載のプラズマディスプレイパネル。
【請求項７】
スキャン電極及びサステイン電極を含む上部基板と、
放電セルを形成するための隔壁を含む下部基板を含み、
前記スキャン電極及び前記サステイン電極それぞれは、放電セル内で突出された複数個の突出スキャン電極部及び複数個の突出サステイン電極部を含み、
互いに対向する前記突出スキャン電極部と前記突出サステイン電極部のギャップは、少なくとも２種類の異なるギャップを含むことを特徴とするプラズマディスプレイパネル。
【請求項８】
前記突出スキャン電極部は、
互いに並んで形成された少なくとも二つ以上の第1突出スキャン電極部と、
前記第１突出スキャン電極部の間に形成された少なくとも一つ以上の第２突出スキャン電極部を含み、
前記突出サステイン電極部は、
互いに並んで形成された少なくとも二つ以上の第１突出サステイン電極部と、
前記第１突出サステイン電極部の間に形成される少なくとも一つ以上の第２突出サステイン電極部を含むことを特徴とする、請求項７記載のプラズマディスプレイパネル。
【請求項９】
前記第１突出スキャン電極部と前記第１突出サステイン電極部の間の第１ギャップは、前記第２突出スキャン電極部と前記第２突出サステイン電極部の間の第２ギャップと異なることを特徴とする、請求項８記載のプラズマディスプレイパネル。
【請求項１０】
前記第１ギャップは前記第２ギャップより狭いことを特徴とする、請求項９記載のプラズマディスプレイパネル。
【請求項１１】
前記各第１突出スキャン電極部の長さは実質的に等しいことを特徴とする、請求項８記載のプラズマディスプレイパネル。
【請求項１２】
前記各第１突出サステイン電極部の長さは実質的に等しいことを特徴とする、請求項８記載のプラズマディスプレイパネル。
【請求項１３】
前記第２ギャップは前記第１ギャップに比べて１倍より大きく５倍以下であることを特徴とする、請求項９記載のプラズマディスプレイパネル。
【請求項１４】
前記第２ギャップは前記第１ギャップに比べて１．５倍以上３倍以下であることを特徴とする、請求項９記載のプラズマディスプレイパネル。
【請求項１５】
スキャン電極及びサステイン電極を含む上部基板と、
放電セルを形成するための隔壁を含む下部基板を含み、
前記スキャン電極及び前記サステイン電極の内でいずれか一つは、
第１電極部と、
前記第１電極部から突出された複数個の第２電極部を備えることを特徴とするプラズマディスプレイパネル。
【請求項１６】
前記第２電極部は、一つの放電セル内に形成されたことを特徴とする、請求項１５記載のプラズマディスプレイパネル。
【請求項１７】
前記第２電極部は、
互いに並んで形成された少なくとも二つ以上の第２突出電極部と、
前記第２突出電極部の間に形成されて前記第２突出電極部の長さと互いに異なる少なくとも一つ以上の第１突出電極部を含むことを特徴とする、請求項１５記載のプラズマディスプレイパネル。
【請求項１８】
前記第１突出電極部の長さは、前記第２突出電極部の長さより小さいことを特徴とする、請求項１５記載のプラズマディスプレイパネル。
【発明の詳細な説明】
【技術分野】
【０００１】
本発明は、プラズマディスプレイパネルに関し、より詳くは、スキャン電極とサステイン電極間で放電を遂行する電極構造を備えるプラズマディスプレイパネルに関する。
【背景技術】
【０００２】
一般的にプラズマディスプレイパネルは、前面パネルと背面パネルの間に形成された隔壁が一つの単位セルを成しており、各セル内にはネオン（Ｎｅ）ヘリウム（Ｈｅ）またはネオン及びヘリウムの混合気体（Ｎｅ＋Ｈｅ）のような主放電気体と少量のキセノンを含む不活性ガスが充填されている。高周波電圧によって放電が発生する時、不活性ガスは真空紫外線（Ｖａｃｕｕｍ  Ｕｌｔｒａｖｉｏｌｅｔ  ｒａｙｓ）を発生して隔壁の間に形成された蛍光体を発光させて画像が具現される。 このようなプラズマディスプレイパネルの一般的な構造を注意深くみれば、図１のようである。
【０００３】
図１は、一般的なプラズマディスプレイパネルの構造を示す斜視図である。
【０００４】
図１に示すように、プラズマディスプレイパネルは、画像がディスプレイされる表示面である前面ガラス１０１にスキャン電極１０２とサステイン電極１０３が対を成して形成された複数の維持電極対が配列された前面基板１００、及び、背面を成す背面ガラス１１１上に前述の複数の維持電極対と交差するように複数のアドレス電極１１３が配列された背面基板１１０が一定距離を間に置いて平行に結合される。
【０００５】
前面基板１００は、一つの放電セルで相互放電させてセルの発光を維持するためのスキャン電極１０２及びサステイン電極１０３、すなわち透明なＩＴＯ物質で形成された透明電極（ａ）と金属材質で形成されたバス電極（ｂ）を備えたスキャン電極１０２及びサステイン電極１０３が対を成して含まれる。スキャン電極１０２及びサステイン電極１０３は、放電電流を制限して電極対の間を絶縁させる一つ以上の上部誘電体層１０４によって覆わせられて、上部誘電体層１０４上面には放電条件を容易にするために酸化マグネシウム（ＭｇＯ）を蒸着した保護層１０５が形成される。
【０００６】
背面基板１１０は、背面ガラス１１１上に複数個の放電空間すなわち、放電セルを形成させるためのストライプタイプ(またはウェルタイプ)の隔壁１１２が平行を維持して配列される。また、アドレス放電を遂行して真空紫外線を発生させる複数のアドレス電極１１３が隔壁１１２に対して平行に配置される。背面基板１１０の上面側には、アドレス放電の時画像表示のための可視光線を放出する Ｒ、Ｇ、Ｂ蛍光体１１４が塗布される。アドレス電極１１３と蛍光体１１４の間にはアドレス電極１１３を保護するための下部誘電体層１１５が形成される。
【０００７】
このように構成される従来のプラズマディスプレイパネルでの電極構造を注意深くみれば、図２のようである。
【０００８】
図２は従来のプラズマディスプレイパネルの電極構造を示す平面図である。
【０００９】
図２に示すように、プラズマディスプレイパネルの電極は、透明電極（ａ）とバス電極（ｂ）が前面基板にストライブに配列されて形成されて、アドレス電極１１２は透明電極（ａ）とバス電極（ｂ）と交差する方向に背面基板(図示せず)に形成される。
【００１０】
このような、複数のアドレス電極１１３が隔壁１１２に対して平行に配置される。
【００１１】
このような電極構造を持つプラズマディスプレイパネルの放電セル内での電極構造を注意深くみれば図３のようである。
【００１２】
図３は、従来プラズマディスプレイパネルの放電セル内の電極構造を示す平面図である。
【００１３】
図３に示すように、四角形状の透明電極（ａ）が前面基板に形成されていて、このような四角形形状の透明電極（ａ）が放電セル内のバス電極（ｂ）が形成された両方地点にそれぞれ位置して放電セルの中心部を間に置いて互いに対向するように成る。
【００１４】
また、ここに対応されるアドレス電極１１３は、バス電極（ｂ）及び透明電極（ａ）と放電空間を間に置いて上下方向に所定距離離隔された状態で、バス電極（ｂ）及び透明電極（ａ）と交差して形成される。
【００１５】
このような電極構造を持つプラズマディスプレイパネルの寿命テスト時にＭｇＯ表面の腐食（Ｅｒｏｓｉｏｎ）状態を注意深くみれば図４のようである。
【００１６】
図４は従来のプラズマディスプレイパネルの寿命テスト時に電界分布を示す状態図である。
【００１７】
図４に示すように、プラズマディスプレイパネルの寿命をテストする間に、放電領域で色が濃く表示された領域が放電ストリームの密度が大きい。
【００１８】
すなわち、放電は、ＩＴＯ 線幅の中間領域で始まって、放電パスはＩＴＯ電極の中央領域が端領域に比べて長い。このような放電により、図４の符号１領域から符号４領域に行くほどＭｇＯの損傷が大きくなる。
【００１９】
これにより、放電はＩＴＯ線幅の中間領域で始まってバス電極に近接した所に行くほど強く起きて、ここに相対的にＩＴＯ線幅の端は弱い放電が発生することが分かる。
【００２０】
このように、 プラズマディスプレイパネルの放電は全体的に不均一な放電が発生されることでホワイトバランスの具現が難しい。
【００２１】
また、放電が発生されるＩＴＯ電極の領域は一定であるにも関わらず、従来のプラズマディスプレイパネルではこれを考慮しなくて高価のＩＴＯが放電が発生されないＩＴＯ電極領域にも使われることでプラズマディスプレイパネルの製造単価を上昇させる問題点がある。
【発明の開示】
【発明が解決しようとする課題】
【００２２】
本発明の目的は、維持電極間の放電を均一にすることができるプラズマディスプレイパネルを提供することにある。
また、本発明の目的は、維持電極間の放電を均一にすることにより、ホワイトバランスを具現するようにするプラズマディスプレイパネルを提供することにある。
また、ＩＴＯ面積を低減して製造単価を低減させることができるプラズマディスプレイパネルを提供することにある。
【課題を解決するための手段】
【００２３】
本発明の一つの側面によるプラズマディスプレイパネルは、スキャン電極及びサステイン電極を含む上部基板と、放電セルを形成するための隔壁を含む下部基板を含み、前記スキャン電極及び前記サステイン電極は放電セル内で複数個の突出電極部をそれぞれ備えることを特徴とする。
【００２４】
本発明の他の側面によるプラズマディスプレイパネルは、スキャン電極及びサステイン電極を含む上部基板と、放電セルを形成するための隔壁を含む下部基板を含み、前記スキャン電極及び前記サステイン電極それぞれは、放電セル内で突出した複数個の突出スキャン電極部及び複数個の突出サステイン電極部を含み、互いに対向する前記突出スキャン電極部と前記突出サステイン電極部のギャップは少なくとも２種類以上の異なるギャップを含むことを特徴とする。
【００２５】
本発明のまた他の側面によるプラズマディスプレイパネルは、スキャン電極及びサステイン電極を含む上部基板と、放電セルを形成するための隔壁を含む下部基板を含み、前記スキャン電極及び前記サステイン電極の内でいずれか一つは、第１電極部と前記第１電極部から突出した複数個の第２電極部を備えることを特徴とする。
【００２６】
前記突出電極部は、第１突出電極部と第２突出電極部を含むことを特徴とする。
【００２７】
前記第１突出電極部は、前記第２突出電極部間に配置されることを特徴とする。
【００２８】
前記第１突出電極部は少なくとも１個以上の突出電極部を備えることを特徴とする。
【００２９】
前記第２突出電極部は、少なくとも２個以上の突出電極部を備えることを特徴とする。
【００３０】
前記スキャン電極の第１突出電極部と前記サステイン電極の第１突出電極部間の第1 ギャップは、前記スキャン電極の第２突出電極部と前記サステイン電極の第２突出電極部の間の第２ギャップより大きいことを特徴とする。
【００３１】
前記突出スキャン電極部は、互いに並んで形成された少なくとも二つ以上の第１突出スキャン電極部と、前記第１突出スキャン電極部の間に形成された少なくとも一つ以上の第２突出スキャン電極部を含み、前記突出サステイン電極部は互いに並んで形成された少なくとも二つ以上の第１突出サステイン電極部と、前記第１突出サステイン電極部の間に形成される少なくとも一つ以上の第２突出サステイン電極部を含むことを特徴とする。
【００３２】
前記第１突出スキャン電極部と前記第１突出サステイン電極部の間の第１ギャップは、前記第２突出スキャン電極部と前記第２突出サステイン電極部の間の第２ギャップと異なることを特徴とする。
【００３３】
前記第１ギャップは前記第２ギャップより狭いことを特徴とする。
【００３４】
前記各第１突出スキャン電極部の長さは実質的に等しいことを特徴とする。
【００３５】
前記各第１突出サステイン電極部の長さは実質的に等しいことを特徴とする。
【００３６】
前記第２ギャップは、前記第１ギャップに比べて１倍より大きく５倍以下であることを特徴とする。
【００３７】
前記第２ギャップは、前記第１ギャップに比べて１．５倍以上３倍以下であることを特徴とする。
【００３８】
前記第２電極部は、一つの放電セル内に形成されたことを特徴とする。
【００３９】
前記第２電極部は、互いに並んで形成された少なくとも二つ以上の第２突出電極部と、 前記第２突出電極部の間に形成されて前記第２突出電極部の長さと互いに異なる少なくとも一つ以上の第１突出電極部を含むことを特徴とする。
【００４０】
前記第１突出電極部の長さは前記第２突出電極部の長さより小さいことを特徴とする。
【発明の効果】
【００４１】
本発明は、透明電極の形状を改善して放電領域を広げることで発光効率が増加して輝度を向上させることができる。
また、放電が安定的で均一に発生されることでホワイトバランスをより效率的に具現することができる。
また、高価なＩＴＯ面積うち不必要な部分をとり除いて、ＩＴＯ面積を低減し、プラズマディスプレイパネルの製造単価を低減させることができる。
【発明を実施するための最良の形態】
【００４２】
以下では、本発明による具体的な実施形態を添付された図面を参照して説明する。
【００４３】
図５は、本発明の一つの実施形態によるプラズマディスプレイパネルの放電セル内の電極構造を示す平面図である。
【００４４】
図５に示すように、プラズマディスプレイパネルの放電セル内において、電極はそれぞれ透明電極（ａ）とバス電極（ｂ）の対からなるスキャン電極３０とサステイン電極４０を含んでなる。
【００４５】
この時、スキャン電極３０とサステイン電極４０は、互いに対向して相互に平行に配列されて、スキャン電極３０とサステイン電極４０の透明電極（ａ）は対向された内側方向で複数個の突出された電極部（３００、３０２）を持つ。
【００４６】
この時、スキャン電極３０とサステイン電極４０の電極部（３００、３０２）は、一つの放電セル内でそれぞれ一つの第１放電電極部３００と、二つの第２放電電極部３０２とで形成されるがこれに限定されるのではない。
【００４７】
すなわち、 前記第１放電電極部３００と二つの第２放電電極部３０２とは、スキャン電極３０とサステイン電極４０の間の放電を容易く遂行するようにするための突出電極と言える。
【００４８】
このような第１放電電極部３００と第２放電電極部３０２は、互いに異なるギャップを持ち、第１放電電極部３００の間のギャップ（ｇ２）または第２放電電極部３０２の間のギャップ（ｇ１、ｇ３）はそれぞれ等しいが、第１放電電極部３００と第２放電電極部３０２は互いに異なるギャップを持つ。即ち、第１放電電極部３００が複数ある場合には、各第１放電電極部間のギャップは互いに等しい。また、第２放電電極部３０２が複数ある場合には、各第２放電電極部間のギャップは互いに等しい。一方、第１放電電極部３００間のギャップと、第２放電電極部３０２間のギャップとは互いに異なる。
【００４９】
この時、第１放電電極部３００の間のギャップ（ｇ２）が２放電電極部３０２の間のギャップ（ｇ１、ｇ３）より大きいことを特徴とする。たとえば、第１放電電極部５００の間のギャップ（ｇ２）は、第２放電電極部５０２の間のギャップ（ｇ１、ｇ３）に比べて１倍より大きく５倍以下で設定することができるが、１．５倍以上３倍以下で設定することも可能である。
【００５０】
これは、第１放電電極部３００の間のギャップ（ｇ２）が第２放電電極部５０２の間のギャップ（ｇ１、ｇ３） に比べて１倍より大きい場合に、本発明の効果が可能だからである。
また、 第１放電電極部３００の間のギャップ（ｇ２）が第２放電電極部５０２の間のギャップ（ｇ１、ｇ３）に比べて５倍以下とすればＹ、Ｚ間の放電電圧が急激に上昇することをより確実に防止し易いからである。
【００５１】
より望ましくは、第１放電電極部５００の間のギャップ（ｇ２）は、第２放電電極部５０２の間のギャップ（ｇ１、ｇ３）に比べて１．５倍以上３倍以下で設定することもできる。
これは、第１放電電極部５００の間のギャップ（ｇ２）が第２放電電極部５０２の間のギャップ（ｇ１、ｇ３）に比べて１．５倍以上とすれば、第１放電電極部と第２放電電極部の間の放電をより均一に発生させ易いからである。からである。
同時に、第１放電電極部５００の間のギャップ（ｇ２） が第２放電電極部５０２の間のギャップ（ｇ１、ｇ３）に比べて３倍以下とすると、第１放電電極部と第２放電電極部の間の放電電圧が上昇することを更に確実に防止し易いからである。
【００５２】
このような、 第１放電電極部３００と第２放電電極部３０２の端の断面は四角形状に形成されることが望ましい。
【００５３】
このように構成される本発明の作用を注意深くみれば次のようである。
【００５４】
前述のように、 プラズマディスプレイパネルは、透明電極線幅の中間領域から放電が始まってバス電極（ｂ）に行くほど強い放電が発生する。
【００５５】
一般的に放電が発生される電極間のギャップが小さいほど小さな駆動電圧で強い放電を発生させることができる特性によって、強放電が発生する第１放電電極部３００に比べて相対的に弱放電が起きる第２放電電極部３０２の間のギャップ（ｇ１、ｇ３）を小さく形成することで、第２放電電極部３０２でさらに強い放電が発生するようにする。
【００５６】
これと共に、等しい原理で強放電が発生される第１放電電極部３００の間のギャップ（ｇ２）を大きく形成して、第２放電電極部３０２と均一に放電を発生させることで全体的に安定的な放電を誘導してホワイトバランスを效率的に具現することができる。
【００５７】
また、第１放電電極部３００の間のギャップ（ｇ２）を大きく形成することで、放電領域が広くなって陽光柱（Ｐｏｓｉｔｉｖｅ Ｃｏｌｕｍｎ）領域を效率的に使うことができるが、これをより詳しく注意深くみれば図６のようである。
【００５８】
図６は本発明での放電領域を説明するための例示的な図である。
【００５９】
図６に示すように、陰極（Ｃａｔｈｏｄｅ）と陽極（Ａｎｏｄｅ）にそれぞれ電圧を印加すれば、イオンの陰極衝突によって生成されて放出された２次電子が電界によって加速を受けて中性粒子との衝突で新しい電子を生成させるようになる。
【００６０】
２次電子は、電圧の変化が大きければ大きいほど、電界の大きさが相対的に大きい陰グルロー（Ｎｅｇａｔｉｖｅ Ｇｌｏｗ)領域でさらに強く加速される。衝突して生成された電子は、イオン化が進行される状態でエネルギーを継続的に得て、陽光柱（Ｐｏｓｉｔｉｖｅ Ｃｏｌｕｍｎ）領域に到逹する。しかしながら、陽光柱領域では、これ以上エネルギーを得ることができず、エネルギーを衝突を通じて中性粒子に伝達する。 この過程で励起された粒子が平衡状態に落ちながら可視光線と真空紫外線を発生する。
【００６１】
このような放電領域のうちで陽光柱領域では、電界によるエネルギーではなく、全体でエネルギーが高い電子だけ気体を励起させることで、発光をする。
【００６２】
また、陽光柱領域ではイオン化はほとんど起きないで励起による発光がたくさん発生されて全体的にエネルギーが光に変換される效率が高い。
【００６３】
したがって、プラズマディスプレイパネルの放電セル内で第１放電電極部３００の間のギャップ（ｇ２）を大きく形成して、スキャン電極３０とサステイン電極４０の透明電極間の距離を大きくすることで、前述の陽光柱領域を效率的に使うことができる。
【００６４】
上記では、スキャン電極３０とサステイン電極４０が一つの放電セル内でそれぞれ一つの第１放電電極部３００と二つの第２放電電極部３０２とで形成されることに対してだけ説明したが、これに限定されるのではない。
【００６５】
すなわち、 第１放電電極部３００と第２放電電極部３０２は、一つの放電セル内で複数個すなわち、少なくとも一つ以上に形成されることが可能だが、これに対する一例を注意深くみれば図７のようである。
【００６６】
図７は、本発明の他の実施形態によるプラズマディスプレイパネルの放電セル内の電極構造を示す平面図である。
【００６７】
図７に示すように、スキャン電極３０とサステイン電極４０は、一つの放電セル内でそれぞれ、二つの第１放電電極部３００と二つの第２放電電極部３０２で形成されることが可能である。ここで、第１放電電極部３００と第２放電電極部３０２の個数は、一つの放電セル放電の特性を考慮して設計されることが望ましい。
【００６８】
すなわち、第１放電電極部３００は、二つ以上の複数個の突出電極を備えるように具現することもできる。 したがって、図７は第１放電電極部３００が２個の突出電極を持つ場合を示しているが、前述のように３個以上の突出電極を持つ構造でも具現可能である。
【００６９】
一方、第１放電電極部３００と第２放電電極部３０２のそれぞれのギャップは、図５で説明したのと等しい。すなわち、複数個の突出電極に具現された第１放電電極部３００の間隔は一定な値を持って、第２放電電極部３０２の間隔よりさらに大きい値を持つ。これは前述したように容易い放電を遂行するためである。一方、前述したように、第１放電電極部の間のギャップｇ２は、第２放電電極部の間のギャップｇ１、ｇ３に比べて１倍より大きく５倍以下で設定することができるが、１．５倍以上３倍以下で設定することも可能である。
【００７０】
これは前述したように、第１放電電極部の間のギャップｇ２が第２ 放電電極部の間のギャップｇ１、ｇ３に比べて１倍より大きい場合に、本発明の効果が可能だからである。
また、第１放電電極部の間のギャップｇ２が第２放電電極部の間のギャップｇ１、ｇ３ に比べて５倍以下になれば、Ｙ、 Ｚ間の放電電圧が急激に上昇することをより確実に防止し易いからである。
【００７１】
より望ましくは、第１放電電極部の間のギャップｇ２は、第２放電電極部 の間のギャップg1、g3に比べて１．５倍以上３倍以下で設定することもできる。
これは、第１放電電極部の間のギャップｇ２が第２放電電極部の間のギャップｇ１、ｇ３ に比べて１．５倍以上とすうと、第１放電電極部と第２放電電極部の間の放電をより均一に発生させ易いからである。
同時に、第１放電電極部の間のギャップｇ２が第２放電電極部の間のギャップｇ１、ｇ３ に比べて３倍以下とすると、第１放電電極部と第２放電電極部の間の放電電圧が上昇することを更に確実に防止し易いからである。
【００７２】
また、ここでは、第１放電電極部３００と第２放電電極部３０２の端の断面が四角形状であることに対してだけ説明したが、これに限定されるのではなく、多角形または円型の内でいずれか一つの形状で形成するのが可能である。
【００７３】
図８は、本発明のまた他の実施形態によるプラズマディスプレイパネルの放電セル内の電極構造を示す平面図である。
【００７４】
図８に示すように、プラズマディスプレイパネルの放電セル内で電極は、それぞれ透明電極ａとバス電極ｂ対からなるスキャン電極１０とサステイン電極２０を含んでからなる。
【００７５】
この時、スキャン電極１０とサステイン電極２０は、互いに対向して相互平行に配列されて、スキャン電極１０とサステイン電極２０の透明電極ａは、対向された内側方向で複数個の突出する電極部５００、５０２を持つ。
【００７６】
この時、スキャン電極１０とサステイン電極２０の突出する電極部５００、５０２は、一つの放電セル内でそれぞれ、一つの第１放電電極部５００と、二つの第２放電電極部５０２で形成できるがこれに限定されるのではない。
【００７７】
すなわち、前記第１放電電極部５００ と二つの第２放電電極部５０２とは、スキャン電極 １０とサステイン電極２０の間の放電を容易に遂行するようにするための突出電極と言える。
【００７８】
このような第１放電電極部５００と第２放電電極部５０２は、互いに異なるギャップを持つが、第１放電電極部５００の間のギャップｇ２、または、第２放電電極部５０２の間のギャップｇ１、ｇ３はそれぞれ等しいが、第１放電電極部５００と第２放電電極部５０２は互いに異なるギャップを持つ。即ち、第１放電電極部３００が複数ある場合には、各第１放電電極部間のギャップは互いに等しい。また、第２放電電極部３０２が複数ある場合には、各第２放電電極部間のギャップは互いに等しい。一方、第１放電電極部３００間のギャップと、第２放電電極部３０２間のギャップとは互いに異なる。
【００７９】
この時、第１放電電極部５００の間のギャップｇ２が第２放電電極部５０２ の間のギャップｇ１、ｇ３ より大きいことを特徴とする。例えば、第１放電電極部５００の間のギャップｇ２は第２放電電極部５０２の間のギャップｇ１、ｇ３ に比べて１倍より大きく５倍以下で設定することができるが、１．５倍以上３倍以下で設定することも可能である。
【００８０】
これは、前述したように、第１放電電極部５００の間のギャップｇ２が第２放電電極部 ５０２ の間のギャップｇ１、ｇ３ に比べて１倍より大きい場合に、本発明の効果を奏することが可能だからである。
また、第１放電電極部５００の間のギャップｇ２が第２放電電極部５０２の間のギャップｇ１、ｇ３ に比べて５倍以下とすると、Ｙ、Ｚ間の放電電圧が急激に上昇することをより確実に防止し易いからである。
【００８１】
より望ましくは、第１放電電極部５００の間のギャップｇ２は、第２放電電極部５０２ の間のギャップｇ１、ｇ３ に比べて１．５倍以上３倍以下で設定することもできる。
これは、第１放電電極部５００の間のギャップｇ２が第２放電電極部５０２ の間のギャップｇ１、ｇ３ に比べて１．５倍以上とすれば、第１放電電極部と第２放電電極部の間の放電をより均一に発生させ易いからである。
同時に、第１放電電極部５００の間のギャップｇ２が第２放電電極部 ５０２の間のギャップｇ１、ｇ３に比べて３倍以下とすれば、第１放電電極部と第２放電電極部の間の放電電圧が上昇することを更に確実に防止し易いからである。
【００８２】
このような、第１放電電極部５００と第２放電電極部５０２の端の断面は四角形状に形成されることが望ましい。
【００８３】
一方、本発明のまた他の実施形態は前記スキャン電極１０とサステイン電極２０のバス電極１０ｂ、２０ｂに平行及び垂直方向に形成された第１隔壁５０３、第２隔壁５０４を備えることを前提とする。この時、スキャン電極１０とサステイン電極２０から突出する第１放電電極部５００と第２放電電極部５０２は、第１隔壁５０３と平行な方向に形成される。
【００８４】
この時、本発明の一つの実施形態によるプラズマディスプレイパネルは、ストライプタイプの隔壁構造を持つ場合にも適用可能であり、この時、隔壁はただ一つの方向だけで形成されることに留意しなければならない。
【００８５】
図８では、第１放電電極部５００と第２放電電極部５０２とが、第１隔壁５０３と一部重畳されるように示されているが、第１放電電極部５００と第２放電電極部５０２とが第１隔壁５０３と完全に重畳されるように具現することもできる。
【００８６】
この時、図８で示された第１隔壁５０３の幅Ｗ１は、第１放電電極部５００と第２放電電極部５０２の幅Ｗ２よりさらに大きいことを特徴とする。これによって前述したように、 第１放電電極部５００と第２放電電極部５０２とが、第１隔壁５０３と完全に重畳されることが可能になる。同時に、第１放電電極部５００と第２放電電極部５０２の幅Ｗ２は互いに等しいことを前提とする。
【００８７】
図９は、本発明のまた他の実施形態によるプラズマディスプレイパネルの放電セル内の電極構造を示す平面図である。
【００８８】
図９に示すように、スキャン電極３０とサステイン電極４０は、一つの放電セル内でそれぞれ、二つの第１放電電極部７００と二つの第２放電電極部７０２とで形成されることが可能である。しかし、第１放電電極部７００と第２放電電極部７０２の個数は一つの放電セル放電の特性を考慮して設計されることが望ましい。
【００８９】
すなわち、第１放電電極部７００は、二つより多くの複数個の突出電極を備えるように具現することもできる。 したがって、図９は、第１放電電極部７００が２個の突出電極を持つ場合を示しているが、前述のよう３個以上の突出電極を持つ構造でも具現可能である。
【００９０】
一方、第１放電電極部７００と第２放電電極部７０２のそれぞれのギャップは、前述したのと同様である。すなわち、複数個の突出電極で具現された第１放電電極部７００の間隔は一定な値を持って、第２放電電極部７０２の間隔よりさらに大きい値を持つ。これは前述したように、より容易に放電を遂行するためである。一方、前述したように、第１放電電極部７００の間のギャップｇ２は、第２放電電極部７０２の間のギャップｇ１、ｇ３ に比べて1倍より大きく５倍以下で設定することができるが、１．５倍以上３倍以下で設定することも可能である。
【００９１】
これは前述したように、第１放電電極部の間のギャップｇ２は第２ 放電電極部の間のギャップ ｇ１、ｇ３ に比べて１倍より大きい場合に、本発明の効果を奏するからである。
また、第１放電電極部の間のギャップｇ２が第２放電電極部の間のギャップｇ１、ｇ３ に比べて５倍以下とすれば、Ｙ、Ｚ 間の放電電圧が急激に上昇することをより確実に防止し易いからである。
【００９２】
より望ましくは、第１放電電極部の間のギャップｇ２は、第２放電電極部の間のギャップｇ１、ｇ３に比べて、１．５倍以上３倍以下で設定することもできる。
これは、第１放電電極部の間のギャップｇ２が第２放電電極部の間のギャップｇ１、ｇ３ に比べて１．５倍以上とすれば、第１放電電極部と第２放電電極部の間の放電をより均一に発生させ易いからである。
同時に、第１放電電極部の間のギャップｇ２が第２放電電極部の間のギャップｇ１、ｇ３ に比べて３倍以下とすれば、第１放電電極部と第２放電電極部の間の放電電圧の上昇することを更に確実に防止し易いからである。
【００９３】
また、ここでは第１放電電極部７００と第２放電電極部７０２の端の断面が四角形状であることに対してだけ説明したが、これに限定されるのではなく多角形または円型の内でいずれか一つの形状で形成するのが可能である。
【００９４】
一方、本発明のまた他の実施形態は、図８で前述したように、スキャン電極３０とサステイン電極４０のバス電極３０ｂ、４０ｂと平行及び垂直方向に形成された第１隔壁７０３、第２隔壁７０４を備えることを前提とする。この時、スキャン電極３０とサステイン電極４０から突出する第１放電電極部７００と第２放電電極部７０２は第１隔壁７０３と平行な方向に形成される。
【００９５】
前述したように、 第１放電電極部７００と第２放電電極部７０２は、第１隔壁７０３ と一部重畳することもでき、完全に重畳されるように具現することもできる。
【００９６】
この時、図９で示された第１隔壁７０３の幅Ｗ３は、第１放電電極部７００と第２放電電極部７０２ の幅Ｗ４よりさらに大きいことを特徴とする。これによって前述したように、 第１放電電極部７００と第２放電電極部７０２が第１隔壁７０３と完全に重畳されることが可能になる。
【００９７】
図１０は本発明のまた他の実施形態によるプラズマディスプレイパネルの放電セル内の電極構造を示す平面図である。
【００９８】
本発明のまた他の実施形態は、図９で前述したように、スキャン電極５０とサステイン電極６０のバス電極５０ｂ、６０ｂと平行及び垂直方向に形成された第1隔壁９０３、第２隔壁９０４を備えることを前提とする。この時、スキャン電極５０とサステイン電極６０から突出する第１放電電極部９００と第２放電電極部９０２は、第1隔壁９０３と平行な方向に形成される。
【００９９】
すなわち、本発明のまた他の実施形態は図９で示された電極構造と等しい構造を持つが、 第1隔壁９０３と第２放電電極部９０２が重畳されないという点で差がある。結局、本発明は隔壁の位置と無関係に、スキャン電極とサステイン電極から突出する電極部間の間隔を適切に調節することで安定した放電ができるようにすることを特徴とする。
【図面の簡単な説明】
【０１００】
【図１】一般的なプラズマディスプレイパネルの構造を示す斜視図。
【図２】従来のプラズマディスプレイパネルの電極構造を示す平面図。
【図３】従来プラズマディスプレイパネルの放電セル内の電極構造を示す平面図。
【図４】従来のプラズマディスプレイパネルの寿命テスト時に電界分布を示す状態図。
【図５】本発明の一つの実施形態によるプラズマディスプレイパネルの放電セル内の電極構造を示す平面図。
【図６】本発明での放電領域を説明するための例示図。
【図７】本発明の他の実施形態によるプラズマディスプレイパネルの放電セル内の電極構造を示す平面図。
【図８】本発明のまた他の実施形態によるプラズマディスプレイパネルの放電セル内の電極構造を示す平面図。
【図９】本発明のまた他の実施形態によるプラズマディスプレイパネルの放電セル内の電極構造を示す平面図。
【図１０】本発明のまた他の実施形態によるプラズマディスプレイパネルの放電セル内の電極構造を示す平面図。
【図１】
2006318897.tif 000003
【図２】
2006318897.tif 000004
【図３】
2006318897.tif 000005
【図５】
2006318897.tif 000006
【図７】
2006318897.tif 000007
【図４】
2006318897.tif 000008
【図６】
2006318897.tif 000009
【図８】
2006318897.tif 000010
【図９】
2006318897.tif 000011
【図１０】
2006318897.tif 000012